(57)【特許請求の範囲】
【請求項１】
ファンが臨む開口をパネルに設け、この開口にはファンガードを設けた空気調和機において、前記ファンガードの周囲に複数の爪を設け、この爪が嵌まり合うとともに、前記ファンガードの回転方向に沿って除々に幅狭となる円弧状の係止孔を、前記パネルの開口の周囲に設け、一部の爪の幅を他部の爪の幅よりも大きく形成し、前記ファンガードは前記爪を前記係止孔に嵌め込んだ後、ファンガードをこの開口の周方向に回転させることにより、一部の爪により弾性力を働かせて、爪と係止孔とを係合させて固定することを特徴とする空気調和機。
【請求項２】
ファンが臨む開口をパネルに設け、この開口にはファンガードを設けた空気調和機において、前記ファンガードの周囲に複数の爪を設け、この爪が嵌まり合うとともに、前記ファンガードの回転方向に沿って除々に幅狭となる円弧状の係止孔を、前記パネルの開口の周囲に、この開口の周方向にほぼ等間隔に複数設け、一部の爪の幅を他部の爪の幅よりも大きく形成し、前記ファンガードは前記爪を前記係止孔に嵌め込んだ後、ファンガードをこの開口の周方向に回転させることにより、一部の爪により弾性力を働かせて、爪と係止孔とを係合させて固定することを特徴とする空気調和機。
【請求項３】
前記ファンガードは、前記爪と前記係止孔とを係合させた後、ビスで固定されることを特徴とする請求項１または２に記載の空気調和機。
【発明の詳細な説明】
【０００１】
【発明の属する技術分野】
本発明は、ファンが臨む開口をパネルに設け、この開口にはファンガードを設けた空気調和機に関するものである。
【０００２】
【従来の技術】
空気調和機では、室外ユニットと室内ユニットを冷媒配管で接続している。この種の室外ユニットは、ファンが臨む開口をパネルに設け、この開口にはファンガードを設けている。ファンガードは組み立ての際にパネルに対して複数本のねじなどを用いて固定されている。
【０００３】
【発明が解決しようとする課題】
従来のものでは、ファンガードをパネルに対して固定する工数が多くなり、部品点数も多くなるので、コスト高になるという問題がある。また、ファンガードの固定工程において、ねじの装着を忘れるなどの可能性もある。
【０００４】
本発明は上記課題を解消し、ファンガードをワンタッチでパネルに対して固定することができ、部品点数を削減できる空気調和機を提供する。
【０００７】
【課題を解決するための手段】
請求項１に記載の発明は、ファンが臨む開口をパネルに設け、この開口にはファンガードを設けた空気調和機において、前記ファンガードの周囲に複数の爪を設け、この爪が嵌まり合うとともに、前記ファンガードの回転方向に沿って除々に幅狭となる円弧状の係止孔を、前記パネルの開口の周囲に設け、一部の爪の幅を他部の爪の幅よりも大きく形成し、前記ファンガードは前記爪を前記係止孔に嵌め込んだ後、ファンガードをこの開口の周方向に回転させることにより、一部の爪により弾性力を働かせて、爪と係止孔とを係合させて固定するものである。
【０００８】
請求項１に記載の発明では、ファンガードをパネルに対して回転するだけで、除々に幅狭となる円弧係止孔にファンガードの爪を係合して固定できる。これにより、ファンガードは緩まず、パネルから外れることはない。
【０００９】
請求項２に記載の発明は、ファンが臨む開口をパネルに設け、この開口にはファンガードを設けた空気調和機において、前記ファンガードの周囲に複数の爪を設け、この爪が嵌まり合うとともに、前記ファンガードの回転方向に沿って除々に幅狭となる円弧状の係止孔を、前記パネルの開口の周囲に、この開口の周方向にほぼ等間隔に複数設け、一部の爪の幅を他部の爪の幅よりも大きく形成し、前記ファンガードは前記爪を前記係止孔に嵌め込んだ後、ファンガードをこの開口の周方向に回転させることにより、一部の爪により弾性力を働かせて、爪と係止孔とを係合させて固定するものである。
請求項２に記載の発明では、周方向に均等に固定されるので、ファンガードはパネルに対してしっかりと固定される。
【００１０】
請求項３に記載の発明は、請求項１または２に記載のものにおいて、前記ファンガードは、前記爪と前記係止孔とを係合させた後、ビスで固定されることを特徴とするものである。これによれば、さらに必要に応じてビスでファンガードをパネルに固定するので、ファンガードはより確実にパネルに固定される。
【００１１】
【発明の実施の形態】
以下、本発明の好適な実施の形態を図面に基づいて説明する。
【００１２】
図１において、分離型の空気調和機の室外ユニット１はパネル２を有し、このパネル２は前側から見て長方形である。このパネル２にはファンガード３が着脱可能に固定される。図２は室外ユニット１の分解斜視図であり、図２において室外ユニット１はパネル２、コ字型の後部パネル４、底板５を有し、パネル２と後部パネル４及び底板５で形成される空間には、ファン６、ファンモータ７、圧縮機８、室外熱交換器９等が内蔵されている。ファン６はファンモータ７の作動により、室外熱交換器９の熱交換用に通風する。
【００１３】
図３は、図１のファンガード３をパネル２の前面部２ａから取り外した状態を示しており、ファン６に対応する位置には円形の開口１０が設けられている。パネル２は前面部２ａと上面部２ｂを有し、このパネル２においては、開口１０の周囲部にほぼ一定の間隔をおいて複数の係止孔１１、１２が形成されている。符号１１、１２に区別したのは、後述するように、二種類の係止孔１１、１２の孔幅が若干異なるためである。これらの係止孔１１、１２はほぼ同じ形状の係止孔であって、各係止孔１１、１２は開口１０の円周方向にそって形成されている。
【００１４】
各係止孔１１、１２は図３及び図４に示すように、幅広部１１ａ、１２ａと嵌め込み部１１ｂ、１２ｂを有し、幅広部１１ａ、１２ａの幅Ｗは嵌め込み部１１ｂ、１２ａの最も狭い幅Ｔの約２倍程度の大きさである。嵌め込み部１１ｂ、１２ａはファンガード３の回転方向Ｒに沿って除々に幅が狭くなる円弧状の係止孔である。
【００１５】
ファンガード３の内側には、図２に示すように、複数の爪２０が設けられている。これらの爪２０は、図４乃至図６に示すように、基部２２とこの基部２２と一体になった係合部２３を有し、この係合部２３は断面でみてほぼ３角形状になっている。各係合部２３は上記各係止孔１１に対応した位置に形成されている。係合部２３の幅Ｄは幅広部１１ａの幅Ｗよりもやや小さく、係合部２３の高さＨは幅広部１１ａの高さｈよりもやや小さい。基部２２の幅Ｓは嵌め込み部１１ｂの最も広い幅Ｔとほぼ同じ幅である。これら係止孔１１のうち係止孔１２に嵌まり合う爪２０（３ヶ所）の基部２２の幅のみ他の基部２２の幅Ｓよりも多少大きめに形成される（理由は後述する）。なお、このファンガード３は金属あるいはプラスチックなどで作られ、パネル２は金属製である。
【００１６】
次に、パネル２に上記ファンガード３を取り付ける手順と取り外す手順とを、各図を参照して説明する。
【００１７】
図２及び図３に示すように、パネル２の前面部２ａの開口１０に対して、次の要領でファンガード３を固定する。作業者がファンガード３を持って、図４に示すように、ファンガード３の各爪２０の係合部２３を、対応する係止孔１１、１２の幅広部１１ａ、１２ａに対してＸ方向に差し込み、さらにファンガード３を開口１０の周方向、つまりＲ方向（反時計方向）に所定角度回転させる。
【００１８】
これによれば、ファンガード３の係合部２３は、嵌め込み部１１ｂ、１２ｂにワンタッチでしっかりと固定される。ここで係止孔１２に嵌まり合う爪２０の基部２２の幅Ｓは他の爪２０の基部２２の幅２２よりも多少大きめに形成される。この大きめに形成された幅Ｓが、ファンガード３を開口１０の周方向へ所定角度回転させるときの弾性力となり、これによりファンガード３は確実に固定される。しかも、この大きめの幅Ｓが形成された爪２０は周方向に対して均等（９０゜おき）に設けられるので、ファンガード３の回転作業時には均等に弾性力が働き固定時の作業のむらが発生しにくくなるなどの効果が得られる。。
このようにしてファンガード３がパネル２の前面部２ａの開口１０に対応して設定された後、必要に応じて、図１の１本のねじ４０のみを用いてファンガード３をパネル２の前面部２ａに固定する。このようにすると、たとえ室外ユニット１が振動してもファンガード３がパネル２から外れることはない。なお、ファンガード３には、その周方向にそってほぼ均等に爪２０が配置されており、これらの爪２０がパネル２の係止孔１１に嵌合されるので、ファンガード３はその周方向にそってほぼ均等に固定される。
【００１９】
逆に、室外ユニット１を点検したり掃除をするために、ファンガード３をパネル２の前面部２ａから取り外す場合には、１本のねじ４０を取り外し、ファンガード３をＲ１方向（時計方向）に回転すれば、図４の爪２０の係合部２３が係止孔１１の嵌め込み部１１ｂから幅広部１１ａに移動する。これにより、ファンガード３はパネル２の前面部２ａから簡単に取り外される。
【００２０】
この実施の形態によれば、このファンガード３は、外周に配置されるリング部分３０１とこのリング部分３００につながる網状部分３０３とからなる。通常のファンガード３では、リング部分３０１がかなり幅広に形成されており、この幅広に形成された部分を通じてねじ止めするのが一般的である。この実施の形態によれば、ファンガード３の固定用のねじ４０は一本で済むので、ねじを複数本必要としていた従来のものに比べて、上記のリング部分３００はかなり幅狭にすることができるので、その分だけ材料を削減することができ、これによりコストダウンを図ることができるなどの効果を奏する。
【００２１】
本発明は上記実施の形態に限定されず、特許請求の範囲を逸脱しない範囲で種々の変形をすることができる。例えば、上記の実施の形態では、ファンガード３は円形状であり、各爪２０はこのファンガード３に沿って円周方向に配置されているが、ファンガードが例えば４角形あるいはそれ以上の多角形状であっても各爪２０は同様にして円形状に配置して、ファンガードを回転することで前面部に固定するようにしてもよいことは明白である。
【００２３】
【発明の効果】
請求項１に記載の発明では、ファンガードをパネルに対して回転するだけで、除々に幅狭となる円弧係止孔にファンガードの爪を係合して固定できる。これにより、ファンガードは緩んでパネルから外れない。
【００２４】
請求項２に記載の発明では、周方向に均等に固定されるので、ファンガードはパネルに対してしっかりと固定される。
【００２５】
請求項３に記載の発明では、さらに必要に応じてビスでファンガードをパネルに固定することで、ファンガードはより確実にパネルに固定される。
【図面の簡単な説明】
【図１】本発明の空気調和機を示す正面図である。
【図２】本発明の空気調和機の室外ユニットの内部構造の一例を示す斜視図である。
【図３】空気調和機の室外ユニットの前面側のパネルからファンガードを取り除いた状態を示す正面図である。
【図４】ファンガードの爪とパネルの係止孔の一例を示す斜視図である。
【図５】パネルの係止孔に爪がはめ込まれた状態を示す側面図である。
【図６】ファンガードの一部とその爪を示す断面図である。
【符号の説明】
１  室外ユニット
２  パネル
３  ファンガード
６  ファン
１０  開口
１１、１２  パネルの係止孔
２０  ファンガードの爪
【図１】
0003789541.tif 000002
【図２】
0003789541.tif 000003
【図３】
0003789541.tif 000004
【図４】
0003789541.tif 000005
【図５】
0003789541.tif 000006
【図６】
0003789541.tif 000007